(57)【要約】【課題】縁材とカバー体との間の隙間に異物が入り込んでしまうことを防ぎ、各対向部の相互に近接する方向の変位によるカバー体の損傷を防止することができる床用伸縮継手装置を提供する。【解決手段】隣接する２つの建物の各床２ａ，２ｂの相互に空隙３をあけて対向する各対向部４ａ，４ｂに縁材５ａ，５ｂがそれぞれ固定され、一方の縁材５ｂに他方の縁材５ａに近接する方向に突出する支持体６が固定され、各縁材５ａ，５ｂに支持されかつ支持体６に連結されるカバー体７によって、各支持体５ａ，５ｂ間の空隙３を塞ぐ。他方の縁材５ａには、この他方の縁材５ａが延びる長手方向に平行な軸線８まわりに角変位自在に補助カバー体１０が設けられ、他方の縁材５ａとカバー体７との間の隙間９を覆う。【選択図】　　　図１
2004011308.tif 000002
【特許請求の範囲】
【請求項１】
隣接する２つの建物の各床の相互に空隙をあけて対向する各対向部にそれぞれ固定される縁材と、
各縁材のいずれか一方に固定され、一方の縁材から他方の縁材に近接する方向に突出する支持体と、
各縁材に支持されかつ前記支持体に連結され、各支持体間で前記空隙を塞ぐカバー体と、
他方の縁材に、この他方の縁材が延びる長手方向に平行な軸線まわりに回動自在に設けられ、他方の縁材とカバー体との間の隙間を覆う補助カバー体とを含むことを特徴とする床用伸縮継手装置。
【請求項２】
隣接する２つの建物の各床の相互に空隙をあけて対向する各対向部にそれぞれ固定される縁材と、
各縁材のいずれか一方に固定され、一方の縁材から他方の縁材に近接する方向に突出する支持体と、
各縁材に支持されかつ前記支持体に連結され、各支持体間で前記空隙を塞ぐカバー体と、
カバー体に、他方の縁材の長手方向に平行な軸線まわりに回動自在に設けられ、他方の縁材とカバー体との間の隙間を覆う補助カバー体とを含むことを特徴とする床用伸縮継手装置。
【請求項３】
前記カバー体は、その長手方向に垂直な断面が略凹状の枠部材と、枠部材に前記支持体が設けられる位置で固定される有底筒状の仕切り部材と、枠部材と仕切り部材との間の空間に充填される充填層とを有し、
前記仕切り部材の底部および枠部材の前記底部を支持する部分には、厚み方向に貫通する貫通孔がそれぞれ形成され、
前記支持体には、ねじ孔を有する螺合部が設けられ、
前記仕切り部材の底部および枠部材の前記底部を支持する部分に形成される前記貫通孔にねじ部材を挿通して、支持体のねじ孔に螺着されることを特徴とする請求項１または２記載の床用伸縮継手装置。
【発明の詳細な説明】
【０００１】
【発明の属する技術分野】
本発明は、隣接する２つの建物の各床間の空隙をあけて相互に対向する各対向部間にわたって設けられる床用伸縮継手装置に関する。
【０００２】
【従来の技術】
集合住宅、病院、学校および商用多目的ビルなどの複数の建物において、隣接する２つの建物の各床の相互に対向する各対向部には、各対向部間の空隙を塞ぎ、かつ急激な地震などによる各対向部の相対的変位を許容することができる床用伸縮継手装置が設けられている。この床用伸縮継手装置は、エキスパンションジョイント（Ｅｘｐａｎｓｉｏｎ　ｊｏｉｎｔ）とも呼ばれ、各対向部にそれぞれ固定される縁材と、一端部が一方の縁材に支持され、他端部が他方の縁材にヒンジによって水平な軸線まわりに角変位自在に連結された状態で前記空隙を塞ぐカバー体とを有する。
【０００３】
各縁材は、鋼鉄製、ステンレス鋼製またはアルミニウム合金製の押出し形材から成る長尺材であり、複数のアンカーボルトによって、各対向部に略水平方向に平行に固定される。カバー体の前記一端部は、前記一方の縁材の前記一端部が対向する部分に対して、急激な地震および地盤の不等沈下などによって各対向部が近接する方向に相対的変位を生じたとき、その変位を許容するために、前記一方の縁材の対向する部分から水平方向に離間した状態で支持されている。
【０００４】
【発明が解決しようとする課題】
このような従来の技術では、地震および地盤の不等沈下などに起因する各建物間の相対的変位、特に各対向部間の相対的変位は、各対向部が相互に近接および離反する方向の変位、各対向部が水平面において平行移動する方向に変位、ならびに各対向部が上下方向に移動する方向の変位が３次元的に合成された変位として生じるが、主として各対向部が近接する方向の変位が大きい場合には、一方の対向部に設けられる支持体に連結されているカバー体が、他方の対向部の縁材に当接して押圧される。
【０００５】
カバー体の一端部は、前述したように、他方の縁材の対向する部分から水平方向に離間させた状態で取付けられているため、カバー体の一端部と他方の縁材との間には、隙間が存在し、この隙間には小石やごみなどの異物が入り込んでしまう場合がある。このような隙間に異物が存在すると、各対向部が相互に近接する方向に変位したときに、異物によってカバー体が一方の縁材上に円滑に乗り上げて前記近接する方向の変位を許容することができない。そのため、カバー体には、異物を介して一方の縁材から大きな反力が作用し、カバー体が損傷してしまうという問題がある。また前記隙間の幅は、人工地盤上では、変位量が現地盤上に建てられた建物よりも大きく、しかも熱膨張および熱収縮による変位量を含むために大きなものであり、通行者がつまずくおそれがある。
【０００６】
また、カバー体は、取付け時に、そのカバー体を作業者が手で支えた状態でボルトなどのねじ部材の締付け作業を行っているため、カバー体がタイル張りなどの重量および厚みが大きい構造である場合には、取付け作業に多くの手間および労力を必要とし、カバー体の取付け作業の作業性が悪いという問題がある。
【０００７】
本発明の目的は、縁材とカバー体との間の隙間に異物が入り込んでしまうことを防ぎ、各対向部の相互に近接する方向の変位によってカバー体が損傷してしまうことを防止して、円滑に通行することができるようにした床用伸縮継手装置を提供することである。
【０００８】
本発明の他の目的は、カバー体の取付け作業を簡素化し、カバー体を容易に取付けることができるようにした床用伸縮継手装置を提供することである。
【０００９】
【課題を解決するための手段】
請求項１記載の本発明は、隣接する２つの建物の各床の相互に空隙をあけて対向する各対向部にそれぞれ固定される縁材と、
各縁材のいずれか一方に固定され、一方の縁材から他方の縁材に近接する方向に突出する支持体と、
各縁材に支持されかつ前記支持体に連結され、各支持体間で前記空隙を塞ぐカバー体と、
他方の縁材に、この他方の縁材が延びる長手方向に平行な軸線まわりに回動自在に設けられ、他方の縁材とカバー体との間の隙間を覆う補助カバー体とを含むことを特徴とする床用伸縮継手装置である。
【００１０】
本発明に従えば、隣接する２つの建物の各床の各対向部に縁材がそれぞれ固定される。各縁材のいずれか一方には、支持体が固定される。支持体は、前記一方の縁材から他方の縁材に近接する方向に突出し、この支持体にカバー体が連結される。
【００１１】
各建物が急激な地震または地盤の不等沈下などによって相対的変位を生じたとき、各対向部が相互に離反する方向の変位に対しては、カバー体が他方の縁材から離反しても、カバー体は支持体に連結された状態で一方の躯体に追従して変位するため、カバー体は支持体によって支持され、カバー体が空隙内へ落下することが防がれ、各対向部が相互に近接する方向に変位に対しては、カバー体が他方の対向部に接触して損傷または破壊されることが防がれる。
【００１２】
また、各対向部が水平面において平行に移動する方向の変位に対しては、カバー体と他方の対向部とは結合されていないため、前記平行な方向の移動を許容することができる。さらに、各対向部が上下に移動する方向の変位において、カバー体と他方の縁材とが上下方向に相対的に離反する方向の変位に対しては、カバー体が他方の縁材および他方の対向部には干渉せず、その変位を許容することができる。また、各対向部が上下に移動する方向の変位において、カバー体と他方の縁材とが上下に相対的に近接する方向の変位に対しては、カバー体が他方に縁材または他方の対向部に干渉するため、カバー体を支持体に対して前記上下に相対的に近接する方向の変位を許容することができるように、たとえばカバー体と支持体との間にばねを介在させた状態でルーズボルトによってカバー体が支持体に対して上下に変位することができる状態で連結する周知の技術によって、カバー体に前記他方の縁材または他方の対向部から大きな上向きの力が作用することを回避することができる。
【００１３】
このように各対向部の相互に近接および離反する方向、各対向部が水平面において平行移動する方向、ならびに各対向部が上下方向に移動する方向の各変位は、３次元的に合成された変位として生じるが、主として各対向部が近接する方向の変位が、カバー体の損傷または破壊に対して最も大きな影響を与えるため、この近接する方向の変位に対するカバー体の損傷または破壊を防止することによって、実際上、地震および地盤の不等沈下などによる各対向部の相対的変位が生じても、実際上、カバー体が損傷または破壊することが防がれる。
【００１４】
前記他方の縁材には、補助カバー体が設けられる。この補助カバー体は、前記他方の縁材が延びる長手方向に平行な軸線まわりに角変位自在である。このような補助カバー体によって他方の対向部とカバー体との間の隙間が覆われるので、前記隙間に小石やごみなどの異物が入り込むことが防がれ、各対向部の相互に近接する方向の変位が生じても、カバー体に他方の縁材から異物を介して大きな反力が作用することが防がれ、カバー体の損傷または破壊が防がれるとともに、通行者がつまずくことが防がれる。
【００１５】
請求項２記載の本発明は、隣接する２つの建物の各床の相互に空隙をあけて対向する各対向部にそれぞれ固定される縁材と、
各縁材のいずれか一方に固定され、一方の縁材から他方の縁材に近接する方向に突出する支持体と、
各縁材に支持されかつ前記支持体に連結され、各支持体間で前記空隙を塞ぐカバー体と、
カバー体に、他方の縁材の長手方向に平行な軸線まわりに回動自在に設けられ、他方の縁材とカバー体との間の隙間を覆う補助カバー体とを含むことを特徴とする床用伸縮継手装置である。
【００１６】
本発明に従えば、隣接する２つの建物の各床の各対向部に縁材がそれぞれ固定される。各縁材のいずれか一方には、支持体が固定される。支持体は、前記一方の縁材から他方の縁材に近接する方向に突出し、この支持体にカバー体が連結される。
【００１７】
各建物が急激な地震または地盤の不等沈下などによって相対的変位を生じたとき、各対向部が相互に離反する方向の変位に対しては、カバー体が他方の縁材から離反しても、カバー体は支持体に連結された状態で一方の躯体に追従して変位するため、カバー体は支持体によって支持され、カバー体が空隙内へ落下することが防がれ、各対向部が相互に近接する方向に変位に対しては、カバー体が他方の対向部に接触して損傷または破壊されることが防がれる。
【００１８】
また、各対向部が水平面において平行に移動する方向の変位に対しては、カバー体と他方の対向部とは結合されていないため、前記平行な方向の移動を許容することができる。さらに、各対向部が上下に移動する方向の変位において、カバー体と他方の縁材とが上下方向に相対的に離反する方向の変位に対しては、カバー体が他方の縁材および他方の対向部には干渉せず、その変位を許容することができる。また、各対向部が上下に移動する方向の変位において、カバー体と他方の縁材とが上下に相対的に近接する方向の変位に対しては、カバー体が他方に縁材または他方の対向部に干渉するため、カバー体を支持体に対して前記上下に相対的に近接する方向の変位を許容することができるように、たとえばカバー体と支持体との間にばねを介在させた状態でルーズボルトによってカバー体が支持体に対して上下に変位することができる状態で連結する周知の技術によって、カバー体に前記他方の縁材または他方の対向部から大きな上向きの力が作用することを回避することができる。
【００１９】
このように各対向部の相互に近接および離反する方向、各対向部が水平面において平行移動する方向、ならびに各対向部が上下方向に移動する方向の各変位は、３次元的に合成された変位として生じるが、主として各対向部が近接する方向の変位が、カバー体の損傷または破壊に対して最も大きな影響を与えるため、この近接する方向の変位に対するカバー体の損傷または破壊を防止することによって、実際上、地震および地盤の不等沈下などによる各対向部の相対的変位が生じても、実際上、カバー体が損傷または破壊することが防がれる。
【００２０】
前記カバー体には、補助カバー体が設けられる。この補助カバー体は、前記他方の縁材が延びる長手方向に平行な軸線まわりに角変位自在である。このような補助カバー体によって他方の対向部とカバー体との間の隙間が覆われるので、前記隙間に小石やごみなどの異物が入り込むことが防がれ、各対向部の相互に近接する方向の変位が生じても、カバー体に他方の縁材から異物を介して大きな反力が作用することが防がれ、カバー体の損傷または破壊が防がれるとともに、通行者がつまずくことが防がれる。
【００２１】
請求項３記載の本発明は、前記カバー体は、その長手方向に垂直な断面が略凹状の枠部材と、枠部材に前記支持体が設けられる位置で固定される有底筒状の仕切り部材と、枠部材と仕切り部材との間の空間に充填される充填層とを有し、
前記仕切り部材の底部および枠部材の前記底部を支持する部分には、厚み方向に貫通する貫通孔がそれぞれ形成され、
前記支持体には、ねじ孔を有する螺合部が設けられ、
前記仕切り部材の底部および枠部材の前記底部を支持する部分に形成される前記貫通孔にねじ部材を挿通して、支持体のねじ孔に螺着されることを特徴とする。
【００２２】
本発明に従えば、長手方向に垂直な断面が略凹状の枠部材に仕切り部材を固定して、枠部材と仕切り部材との間の空間に、たとえばタイルおよびセメントモルタルなどによって実現される充填層を設け、仕切り部材の底部および枠部材の前記底部を支持する部分に貫通孔を形成し、この貫通孔にたとえばボルトなどによって実現されるねじ部材を挿通して、支持体のねじ孔に螺着することによって、カバー体が支持体に連結される。
【００２３】
このような構成によって、カバー体を、支持体のねじ孔に貫通孔が一致するように各縁材および支持体に載置し、カバー体の上方から前記ねじ部材を貫通孔に装着してねじ孔に螺着し、カバー体を支持体にカバー体上の作業だけで、容易に連結して設置することができる。したがって各対向部間の空隙に作業者が腕や工具を挿入してカバー体の取付け作業を行う必要がなくなり、取付け作業が簡素化され、取付け作業の手間および労力が軽減される。
【００２４】
【発明の実施の形態】
図１は、本発明の実施の一形態の床用伸縮継手装置１を示す鉛直断面図であり、図２はカバー体７の枠部材１５および仕切り部材１６を図１の上方から見た一部の平面図である。本実施の形態の床用伸縮継手装置１は、隣接する２つの建物の各床２ａ，２ｂの相互に空隙３をあけて対向する各対向部４ａ，４ｂにそれぞれ固定される縁材５ａ，５ｂと、各縁材５ａ，５ｂのいずれか一方である縁材５ｂに固定され、この縁材５ｂから他方の縁材である縁材５ａに近接する方向（図１の左方）に突出する支持体６と、各縁材５ａ，５ｂに支持されかつ前記支持体６に連結され、各支持体６間で前記空隙３を塞ぐカバー体７と、他方の縁材５ａに、この他方の縁材５ａが延びる長手方向（図１の紙面に垂直な方向）に平行な軸線８まわりに回動自在に設けられ、他方の縁材５ａとカバー体７との間の隙間９を覆う補助カバー体１０とを含む。
【００２５】
各建物は、鉄骨鉄筋コンクリート（略称ＳＲＣ）構造の２棟の集合住宅である。各床２ａ，２ｂは、各建物間を連通する通路またはホールなどとして用いられる屋内空間Ｓに臨み、各床２ａ，２ｂとほぼ同一平面を成して前記カバー体７が設けられる。
【００２６】
図３は、図１および図２に示される床用伸縮継手装置１を分解した状態を示す断面図である。前記カバー体７は、その長手方向（図１の紙面に垂直な方向）に垂直な断面が略凹状の枠部材１５と、枠部材１５に前記支持体６が設けられる位置である前記カバー体７の長手方向に垂直な幅方向（図３の左右方向）中央部で固定される有底筒状の仕切り部材１６と、枠部材１５と仕切り部材１６との間の空間に充填される充填層１７とを有する。充填層１７は、複数のタイル１７ａと、各タイル１７ａと枠部材１５との間および各タイル１７ａと仕切り部材１６との間に充填される接合層１７ｂとを有する。接合層１７ｂは、たとえばセメントモルタルによって実現される。
【００２７】
前記仕切り部材１６の底部１８、枠部材１５の前記底部１８を支持する部分１９、および台座２０には、厚み方向（図１の上下方向）に貫通する貫通孔２１が同軸にそれぞれ形成される。前記支持体６には、ねじ孔２２を有する螺合部２３が設けられ、前記貫通孔２１にねじ部材であるボルト２４を挿通して、支持体６の螺合部２３に螺着される。
【００２８】
仕切り部材１６は、蓋体２４を含み、耐腐食性の高い金属、たとえばステンレス鋼から成る。前記底部１８には、同一材料から成る前記台座２０が溶接して固定される。前記底部１８を支持する部分１９には、前記台座２０の４隅近傍に対応する位置にねじ棒２５が溶接して立設され、各ねじ棒２５は前記台座２０の４隅近傍に厚み方向に貫通して形成される透孔（図示せず）を挿通して上方に突出し、その突出する部分にはナット２６が螺着され、こうして枠部材１７に仕切り部材１６が台座２０とともに取付けられる。
【００２９】
支持体６は、その基端部がビス２７によって一方の縁材５ｂに固定され、遊端部の下面に前記螺合部２３が溶接して固定される支持板２８と、支持板２８の遊端部に積重される複数の薄板状の金属製ライナプレート２９と、支持板２８の遊端部の前記下面に固定される螺合部２３とを含む。各ライナプレート２９の中央部には、螺合部２３に形成される前記ねじ孔２２と同軸に、前記ボルト２４の軸部が挿通する挿通孔３０が形成される。
【００３０】
前記他方の縁材５ａは、取付金具１１ａに溶接して固定される。取付金具１１ａは、アンカー体１２ａによって対向部４ａのコンクリート製の躯体１３ａの略水平な上面にライナプレート１４ａを介して固定される。また、前記一方の縁材５ｂは、取付金具１１ｂに溶接して固定される。取付金具１１ｂは、ブラケット３１の略水平な上面にライナプレート３２を介して固定される。ブラケット３１は、アンカー体１２ｂによって対向部４ｂのコンクリート製の躯体１３ｂの略鉛直な壁面に固定される。
【００３１】
各縁材５ａ，５ｂは、たとえば鋼鉄製またはステンレス鋼製の押出し形材から成り、カバー体７が乗載され、相互に近接する方向に突出する支持部３５ａ，３５ｂと、支持部３５ａ，３５ｂの相互に最も離れた端部に連なり、上方になるにつれて相互に離反する方向に傾斜する案内部３６ａ，３６ｂと、案内部３６ａ，３６ｂの途中位置に連なり、相互に離反する方向に略水平に延びる係合部３７ａ，３７ｂとを有する。各係合部３７ａ，３７ｂは、前記取付金具１１ａ，１１ｂに係合して係止し、取付金具１１ａ，１１ｂの各縁材５ａ，５ｂに対するずれを防止している。
【００３２】
前記躯体１３ａ，１３ｂの周囲には、セメントモルタル３８ａ，３８ｂが打設され、略水平に複数のタイル３９ａ，３９ｂが整列して張り付けられ、タイル張りの床面がカバー体７の上面と略同一平面上に形成される。カバー体７は、その幅方向（図３の左右方向）両端部に上方になるにつれて相互に離反する方向に傾斜する案内部５０ａ，５０ｂを有し、各対向部５ａ，５ｂが相互に近接する方向に変位したとき、他方の案内部５０ａが他方の縁材５ａの案内部３６ａによって上方へ案内されて床２ａ上へ乗り上げ、縁材５ａに接触したまま離脱できずに大きな押圧力がカバー体７に作用して、カバー体７が破損してしまうことが防がれる。
【００３３】
他方の縁材５ａの案内部３６ａには、図３の紙面に垂直な長手方向に間隔をあけて複数のヒンジ４０が設けられ、各ヒンジ４０には前記補助カバー体１０が前記長手方向に延びて設けられる。補助カバー体１０は、たとえばアルミニウム合金またはステンレス鋼から成る長手の板状の金属材料によって形成される。このような補助カバー体１０は、各ヒンジ４０によって前記長手方向に平行な軸線８まわりに角変位自在であり、カバー体７の上面によって支持された状態で、カバー体７と他方の縁材５ａとの間の隙間９を塞いでいる。
【００３４】
図４は、床用伸縮継手装置１の動作を説明するための鉛直断面図であり、カバー体７が他方の縁材５ａから斜め上方へ離反した状態を示す。前述の床用伸縮継手装置１において、各建物が急激な地震または地盤の不等沈下などによって相対的変位を生じたとき、各対向部４ａ，４ｂが相互に離反する方向の変位に対しては、カバー体７が他方の縁材５ａから離反しても、カバー体７は支持体６に連結されているため、カバー体７は支持体６によって支持され、カバー体７が空隙３内へ落下することが防がれ、各対向部４ａ，４ｂが相互に近接する方向に変位によって、カバー体７が他方の対向部４ａに接触して損傷または破壊されることが防がれる。
【００３５】
また、各対向部４ａ，４ｂが水平面において平行に移動する方向（図１および図３の紙面に垂直な方向）の変位に対しては、カバー体７と他方の対向部４ａとは結合されていないため、前記平行な方向の移動を許容することができる。さらに、各対向部４ａ，４ｂが上下に移動する方向（図１および図３の上下方向）の変位に対しては、カバー体７に対して他方の縁材５ａが下方へ移動し、あるいはカバー体７が他方の縁材５ａに対して上方へ移動する方向の変位であれば、カバー体７と他方の縁材５ａまたは他方の対向部４ａとは干渉せず、許容することができる。
【００３６】
このように各対向部４ａ，４ｂの相互に近接および離反する方向の変位、各対向部４ａ，４ｂが水平面において平行移動する方向に変位、ならびに各対向部４ａ，４ｂが上下方向に移動する方向の各変位は、３次元的に合成された変位として生じるが、主として各対向部４ａ，４ｂが近接する方向の変位が、カバー体７の損傷または破壊に対して最も大きな影響を与える。そのため、この近接する方向の変位に対するカバー体７の損傷または破壊を防止することによって、実際上、地震および地盤の不等沈下などによる各対向部の相対的変位が生じても、実際上、カバー体が損傷または破壊することが防がれる。
【００３７】
前記他方の縁材５ａには、補助カバー体１０が設けられる。この補助カバー体１０は、前記他方の縁材５ａが延びる長手方向に平行な軸線８まわりに角変位自在である。このようなカバー体７によって他方の縁材５ａとカバー体７との間の隙間９が覆われるので、前記隙間９に小石やごみなどの異物が入り込むことが防がれ、各対向部４ａ，４ｂが相互に近接する方向の変位が生じても、カバー体７に他方の縁材５ａから異物を介して大きな反力が作用することが防がれ、カバー体７の損傷または破壊が防がれるとともに、通行者のつまずくことが防がれ、円滑に通行することが可能となる。
【００３８】
図５は、本発明の実施の他の形態の床用伸縮継手装置１ａを示す鉛直断面図である。なお、前述の実施の形態と対応する部分には、同一の参照符を付し、重複を避けて説明は省略する。本実施の形態の床用伸縮継手装置１ａは、隣接する２つの建物の各床２ａ，２ｂの相互に空隙３をあけて対向する各対向部４ａ，４ｂにそれぞれ固定される縁材５ａ，５ｂと、各縁材５ａ，５ｂのいずれか一方である縁材５ｂに固定され、この縁材５ｂから他方の縁材である縁材５ａに近接する方向（図５の左方）に突出する支持体６と、各縁材５ａ，５ｂに支持されかつ前記支持体６に連結され、各支持体６間で前記空隙３を塞ぐカバー体７ａと、カバー体７ａに、その長手方向（図５の紙面に垂直な方向）に平行な軸線８まわりに回動自在に設けられ、他方の縁材５ａとカバー体７ａとの間の隙間９を覆う補助カバー体１０ａとを含む。
【００３９】
図６は、床用伸縮継手装置１ａの動作を説明するための鉛直断面図であり、カバー体７ａが他方の縁材５ａから斜め上方へ離反した状態を示す。前述の床用伸縮継手装置１において、各建物が急激な地震または地盤の不等沈下などによって相対的変位を生じたとき、各対向部４ａ，４ｂが相互に離反する方向の変位に対しては、カバー体７ａが他方の縁材５ａから離反しても、カバー体７ａは支持体６に連結されているため、カバー体７ａは支持体６によって支持され、カバー体７ａが空隙３内へ落下することが防がれ、各対向部４ａ，４ｂが相互に近接する方向に変位によって、カバー体７ａが他方の対向部４ａに接触して損傷または破壊されることが防がれる。
【００４０】
また、各対向部４ａ，４ｂが水平面において平行に移動する方向（図５および図６の紙面に垂直な方向）の変位に対しては、カバー体７ａと他方の対向部４ａとは結合されていないため、前記平行な方向の移動を許容することができる。さらに、各対向部４ａ，４ｂが上下に移動する方向（図５および図６の上下方向）の変位に対しては、カバー体７ａに対して他方の縁材５ａが下方へ移動し、あるいはカバー体７ａが他方の縁材５ａに対して上方へ移動する方向の変位であれば、カバー体７ａと他方の縁材５ａまたは他方の対向部４ａとは干渉せず、許容することができる。
【００４１】
このように各対向部４ａ，４ｂの相互に近接および離反する方向の変位、各対向部４ａ，４ｂが水平面において平行移動する方向に変位、ならびに各対向部４ａ，４ｂが上下方向に移動する方向の各変位は、３次元的に合成された変位として生じるが、主として各対向部４ａ，４ｂが近接する方向の変位が、カバー体７ａの損傷または破壊に対して最も大きな影響を与える。そのため、この近接する方向の変位に対するカバー体７ａの損傷または破壊を防止することによって、実際上、地震および地盤の不等沈下などによる各対向部の相対的変位が生じても、実際上、カバー体７ａが損傷または破壊することが防がれる。
【００４２】
前記カバー体７ａの遊端部には、補助カバー体１０ａが設けられる。この補助カバー体１０ａは、前記他方の縁材５ａが延びる長手方向に平行な軸線８まわりに角変位自在である。このようなカバー体７ａによって他方の縁材５ａとカバー体７ａとの間の隙間９が覆われるので、前記隙間９に小石やごみなどの異物が入り込むことが防がれ、各対向部４ａ，４ｂが相互に近接する方向の変位が生じても、カバー体７ａに他方の縁材５ａから異物を介して大きな反力が作用することが防がれ、カバー体７ａの損傷または破壊が防がれるとともに、通行者がつまずくことが防がれ、円滑な通行が可能となる。
【００４３】
【発明の効果】
請求項１記載の本発明によれば、各建物が急激な地震または地盤の不等沈下などによって相対的変位を生じて各対向部が相互に離反する方向の変位しても、補助カバー体によって他方の対向部とカバー体との間の隙間が覆われるので、前記隙間に小石やごみなどの異物が入り込むことが防がれ、各対向部の相互に近接する方向の変位が生じても、カバー体に他方の縁材から異物を介して大きな反力が作用することが防がれ、カバー体の損傷または破壊が防がれ、また円滑に通行することができる。
【００４４】
請求項２記載の本発明によれば、各建物が急激な地震または地盤の不等沈下などによって相対的変位を生じて各対向部が相互に離反する方向の変位しても、補助カバー体によって他方の対向部とカバー体との間の隙間が覆われるので、前記隙間に小石やごみなどの異物が入り込むことが防がれ、各対向部の相互に近接する方向の変位が生じても、カバー体に他方の縁材から異物を介して大きな反力が作用することが防がれ、カバー体の損傷または破壊を防ぐことができ、また円滑に通行することができる。
【００４５】
請求項３記載の本発明によれば、カバー体を、支持体のねじ孔に貫通孔が一致するように各縁材および支持体に載置し、カバー体の上方から前記ねじ部材を貫通孔に装着してねじ孔に螺着し、カバー体を支持体にカバー体上の作業だけで、容易に連結して設置することができる。したがって各対向部間の空隙に作業者が腕や工具を挿入してカバー体の取付け作業を行う必要がなくなり、取付け作業が簡素化され、取付け作業の手間および労力を軽減することができる。
【図面の簡単な説明】
【図１】本発明の実施の一形態の床用伸縮継手装置１を示す鉛直断面図である。
【図２】カバー体７の枠部材１５および仕切り部材１６を図１の上方から見た一部の平面図である。
【図３】図１および図２に示される床用伸縮継手装置１を分解した状態を示す断面図である。
【図４】床用伸縮継手装置１の動作を説明するための鉛直断面図である。
【図５】本発明の実施の他の形態の床用伸縮継手装置１ａを示す鉛直断面図である。
【図６】床用伸縮継手装置１ａの動作を説明するための鉛直断面図である。
【符号の説明】
１　床用伸縮継手装置
２ａ，２ｂ　床
３　空隙
４ａ，４ｂ　対向部
５ａ，５ｂ　縁材
６　支持体
７　カバー体
８　軸線
９　隙間
１０　補助カバー体
１５　枠部材
１６　仕切り部材
１７　充填層
１８　仕切り部材１６の底部
１９　底部１８を支持する部分
２０　台座
２１　貫通孔
２２　ねじ孔
２３　螺合部
２４　ボルト
２５　ねじ棒
２６　ナット
２８　支持板
２９　ライナプレート
３１ブラケット
３５ａ，３５ｂ　支持部
３６ａ，３６ｂ　案内部
４０　ヒンジ
【図１】
2004011308.tif 000003
【図２】
2004011308.tif 000004
【図３】
2004011308.tif 000005
【図４】
2004011308.tif 000006
【図５】
2004011308.tif 000007
【図６】
2004011308.tif 000008